【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
OLEDディスプレイ素子の耐用年数を最適化するための方法であって、前記OLEDディスプレイ素子は、アドレス指定可能な別個の複数のOLEDピクセルを含み、前記OLEDピクセルの各々は、電流ドライバによって提供される駆動電流と供給電圧とによって駆動され、各OLEDピクセルはしきい値電圧を有し、前記方法は、OLEDピクセルについて、
OLEDピクセルの老化に影響を及ぼす環境パラメータを算出するステップと、
前記OLEDピクセルの老化を示す第１の演算パラメータを算出するステップと、
前記OLEDピクセルの耐用年数および光出力を計算するステップと、
前記OLEDピクセルの耐用年数および光出力が最適化される態様で、前記環境パラメータおよび前記第１の演算パラメータの算出に基づいて、OLEDピクセルの第２の演算パラメータを変更することにより、老化を少なくとも部分的に補償するステップとを含む、方法。
【請求項２】
前記第２の演算パラメータは、前記電流ドライバのオン時間または前記OLEDピクセルへの供給電圧の少なくとも１つである、請求項１に記載の方法。
【請求項３】
前記環境パラメータは、前記OLEDピクセルの温度を測定することによって得られる、請求項１または請求項２に記載の方法。
【請求項４】
前記環境パラメータを算出するステップは、周囲温度を測定するステップと、測定された環境温度から前記OLEDピクセルの温度を推定するステップとを含む、請求項１または請求項２に記載の方法。
【請求項５】
前記第１の演算パラメータは、前記電流ドライバの両端の電圧を測定して前記OLEDピクセルの前記しきい値電圧または通常動作電圧を算出することによって得られる、請求項１から請求項４のいずれかに記載の方法。
【請求項６】
前記OLEDピクセルの両端の電圧に対して必要とされた時間期間の変化を算出して前記OLEDピクセルのしきい値電圧または通常動作電圧を得るために、前記電流ドライバの両端の電圧を測定するステップをさらに含む、請求項１から請求項５のいずれかに記載の方法。
【請求項７】
各OLEDピクセルについて測定された温度を格納するステップをさらに含む、請求項４から請求項６のいずれかに記載の方法。
【請求項８】
各OLEDピクセルについて、前記電流ドライバの両端の測定された電圧を格納するステップをさらに含む、請求項６または請求項７に記載の方法。
【請求項９】
各OLEDピクセルに必要とされる最適なプリチャージを算出するステップをさらに含む、請求項１から請求項８のいずれかに記載の方法。
【請求項１０】
最適なプリチャージを算出するステップは、OLED駆動電圧を算出するステップを含む、請求項９に記載の方法。
【請求項１１】
前記方法は、複数のOLEDディスプレイタイルを含んでタイル状に並べられたディスプレイに適用される、請求項１から請求項１０のいずれかに記載の方法。
【請求項１２】
２つの異なるOLEDディスプレイタイルにわたる温度差を減じるための手段をさらに含む、請求項１１に記載の方法。
【請求項１３】
２つの異なるOLEDディスプレイ素子にわたる温度差を減じるステップは、冷却動作を調節するステップを含む、請求項１２に記載の方法。
【請求項１４】
OLEDピクセルの輝度およびコントラストは、前記OLEDディスプレイ素子の老化を減じるために、予め定められた限度内に設定される、請求項１から請求項１３のいずれかに記載の方法。
【請求項１５】
OLEDディスプレイ素子であって、前記OLEDディスプレイ素子は、アドレス指定可能な別個の複数のOLEDピクセルを含み、前記OLEDピクセルの各々は、電流ドライバによって提供される駆動電流と供給電圧とによって駆動され、各OLEDピクセルはしきい値電圧を有し、前記ディスプレイ素子はさらに、
OLEDピクセルの老化に影響を及ぼす環境パラメータを算出するための手段と、
前記OLEDピクセルの老化を示す第１の演算パラメータを算出するための手段と、
前記OLEDピクセルの耐用年数および光出力を計算するための手段と、
前記環境パラメータおよび前記第１の演算パラメータの算出に基づいて、前記OLEDピクセルの第２の演算パラメータを変更することにより、老化を少なくとも部分的に補償し、それにより前記OLEDピクセルの耐用年数および光出力が最適化されるようにするための補償手段とを含む、OLEDディスプレイ素子。
【請求項１６】
環境パラメータを算出するための前記手段は、OLEDピクセルの温度を測定するための温度測定手段である、請求項１５に記載のディスプレイ素子。
【請求項１７】
環境パラメータを算出するための前記手段は、周囲温度を測定するための温度測定手段であり、前記周囲温度から前記OLEDピクセルの温度を推定するための手段をさらに含む、請求項１５に記載のディスプレイ素子。
【請求項１８】
第１の演算パラメータを算出するための前記手段は、前記OLEDピクセルの前記しきい値電圧または通常動作電圧を算出するために前記電流ドライバの両端の電圧を測定するための電圧測定手段である、請求項１５から請求項１７のいずれかに記載のディスプレイ素子。
【請求項１９】
前記補償手段は、前記電流ドライバのオン時間または前記OLEDピクセルへの供給電圧の
少なくとも１つを変更する、請求項１５から請求項１８のいずれかに記載のOLEDディスプレイ素子。
【請求項２０】
少なくとも１つのOLEDピクセルについて測定された温度を格納するための記憶素子をさらに含む、請求項１６から請求項１９のいずれかに記載のOLEDディスプレイ素子。
【請求項２１】
少なくとも１つのOLEDピクセルについて、前記電流ドライバの両端の測定された電圧を格納するための記憶素子をさらに含む、請求項１８から請求項２０のいずれかに記載のOLEDディスプレイ素子。
【請求項２２】
プリチャージ適合手段をさらに含む、請求項１５から請求項２１のいずれかに記載のOLEDディスプレイ素子。
【請求項２３】
前記プリチャージ適合手段は、OLED駆動電圧を算出するための手段を含む、請求項２２に記載のOLEDディスプレイ素子。
【請求項２４】
複数のOLEDディスプレイタイルを含んでタイル状に並べられたディスプレイにおける、請求項１５から請求項２３のいずれかに記載のOLEDディスプレイ素子。
【請求項２５】
２つの異なるOLEDディスプレイタイルにわたる温度差を減じるための手段をさらに含む、請求項２４に記載のOLEDディスプレイ素子。
【請求項２６】
前記OLEDディスプレイ素子の老化を減じるために、OLEDピクセルの輝度およびコントラストを予め定められた限度内に設定するための手段をさらに含む、請求項１５から請求項２５のいずれかに記載のOLEDディスプレイ素子。
【請求項２７】
タイル状に並べられた１組のOLEDディスプレイパネルを含み、各ディスプレイパネルは請求項１５から請求項２６のいずれかにおけるものと同様である、OLEDディスプレイシステム。
【請求項２８】
OLEDディスプレイ素子を制御するための制御装置であって、アドレス指定可能な別個の複数のOLEDピクセルを含み、前記OLEDピクセルの各々は、前記制御装置によって制御される駆動電流と供給電圧とによって駆動され、各OLEDピクセルはしきい値電圧を有し、前記制御装置は、
OLEDピクセルの老化に影響を及ぼす環境パラメータを算出するための手段と、
前記OLEDピクセルの老化を示す第１の演算パラメータを算出するための手段と、
前記OLEDピクセルの耐用年数および光出力を計算するための手段と、
前記環境パラメータおよび前記第１の演算パラメータの算出に基づいて、前記OLEDピクセルの第２の演算パラメータを変更することにより、老化を少なくとも部分的に補償し、それにより前記OLEDピクセルの耐用年数および光出力が最適化されるようにするための手段とを含む、制御装置。